(57)【要約】【課題】草刈りしつつ草を細かく切断する草刈り刃の提供にある。【解決手段】中央部２０、前接続部２２、後接続部２６、前先端部３０及び後先端部３４とを備えている。前接続部２２は回転方向前側に位置させられており、後接続部２６は回転方向後側に位置させられている。前接続部２２と中央部２０との間は下方に折り曲げられており、この前接続部２２と前先端部３０との間は前先端部３０が中央部２０と平行になる向きに折り曲げられている。後接続部２６と中央部２０との間は上方に折り曲げられており、この後接続部２６と後先端部３４との間は後先端部３４が中央部２０と平行になる向きに折り曲げられている。前先端部３０と後先端部３４とは中央部２０から鉛直方向に略等しい間隔でそれぞれ離されて配置させられている。前先端部３０及び後先端部３４は、その側面の両側に、長手方向に延びる切れ刃４２、４４、５４、５６を備えている。【選択図】図３
0003135563.tif 000002
【実用新案登録請求の範囲】
【請求項１】
板形状であり、回転軸に固定する固定部を備えた中央部と、この中央部の一方の先端側に延びる前接続部及び後接続部と、前接続部の先端側に延びる前先端部と、後接続部の先端側に延びる後先端部とを備えており、
前接続部が回転方向前側に位置しており、後接続部が回転方向後側に位置しており、
中央部と前接続部との間が下方に折り曲げられており、この前接続部と前先端部との間が前先端部が中央部と平行になる向きに折り曲げられており、
中央部と後接続部との間が上方に折り曲げられており、この後接続部と後先端部との間が後先端部が中央部と平行になる向きに折り曲げられており、
前先端部と後先端部とが中央部から鉛直方向に略等しい間隔でそれぞれ離されて配置させられており、
前先端部及び後先端部がその側面の両側に、長手方向に延びる切れ刃を備えている草刈り刃。
【請求項２】
前先端部及び後先端部の切れ刃が上面と底面を備えており、
この上面と底面の交線が刃先を形成しており、
上面と底面とが両側の刃先を通る平面に対し対称に傾斜した面である請求項１に記載の草刈り刃。
【請求項３】
前先端部の回転方向前側の切れ刃の刃先を通る直線と後先端部の回転方向前側の切れ刃の刃先を通る直線との交点が、回転中心よりも離れて位置させられている請求項１に記載の草刈り刃。
【考案の詳細な説明】
【技術分野】
【０００１】
本考案は、草刈り機に使用される草刈り刃に関する。
【背景技術】
【０００２】
従来から種々の草刈り機が使用されている。例えば、地面に対して平行に板状の草刈り刃を回転させ、この草刈り刃で草を所定の高さに刈り揃えていく草刈り機が使用されている。このような草刈り機に、細長板状の草刈り刃が使用されている。この細長板状の草刈り刃の先端に切れ刃が備えられている。この草刈り刃が地面に対して平行に回転させられる。草が所定の高さに刈り揃えられている。
【０００３】
このような草刈り機として、二軸の回転軸を備えている草刈り機が開示されている。この草刈り機では、一方の草刈り刃が反時計回りに回転させられている。もう一方の草刈り刃が時計回りに回転させられている。二つの草刈り刃が互いに反対向きに回転させられている。二つの草刈り刃が進行方向前方から内側向きに回転させられている。二つの草刈り刃の回転領域は一部重複している。この二つの草刈り刃は干渉しないように回転させられている。
【０００４】
図６（ａ）は、従来の草刈り刃１０２の平面図である。図６（ｂ）は、図６（ａ）の草刈り刃１０２の側面図である。この草刈り刃は中央部１０４の両端の接続部１０６が下方に折り曲げられ傾斜している。接続部１０６の先端から先端部１０８が伸びており、接続部１０６と先端部１０８との間は先端部１０８が中央部１０４と平行になる向きに折り曲げられている。一方の先端部１０８は切れ刃１１０、１１４を備えている。他方の先端部１０８は切れ刃１１２、１１６を備えている。この草刈り刃１０２は、先端部の長手方向側面の両側に切れ刃を備えた両刃型の草刈り刃である。この草刈り刃１０２では、反時計回り向きの回転向きで切れ刃１１０、１１２が草を刈り取る。時計回り向きの回転向きで切れ刃１１４、１１６が草を刈り取る。
【０００５】
図７は、図６（ａ）に示された草刈り刃１０２の先端部のVII−VII断面図である。切れ刃１１０、１１４は、底面１１８と上面１２０により形成されている。切れ刃１１２、１１６も同じ形状である。底面１１８は回転軸に垂直な平面に略平行である。上面１２０は切れ刃の刃先側で底面１１８と上面１２０の幅が狭くなる向きに傾斜させられている。
【０００６】
この草刈り刃１０２は、反時計回りの回転軸に取り付けられる。切れ刃１１０、１１２が草を刈り取る。この上面１２０が傾斜させられていることにより、刈り取られた草は切断されて飛ばされる。この草刈り刃１０２は、切れ刃１１０、１１２が摩耗すると、回転軸から取り外される。取り外された草刈り刃１０２は、時計回りの回転軸に取り付けられる。切れ刃１１４、１１６が草を刈り取る。この草刈り刃１０２は、両側の切れ刃１１０、１１２、１１４、１１６が摩耗すると寿命となる。
【特許文献１】特開２００５−３２３５４９号公報
【考案の開示】
【考案が解決しようとする課題】
【０００７】
このような草刈り刃で刈り取られた草は草刈り刃の遠心力によって飛ばされる。丈が長い草は、草刈り刃及び回転軸に絡みつくことがある。草刈り刃は、絡みついた草により草が刈り取られなくなる。一方、刈り取られ飛ばされた草を集める作業は重労働である。丈の長い草は他の草とも絡まり易い。丈の長い草を集める作業は更に重労働である。刈り取られた草は放置されて腐葉土にされることがある。しかし、丈の長い草は腐葉土になるまでの時間が長い。従来の草刈り刃１０２は、草が長くなる前に草刈りをする必要があり、草刈りの頻度が高い
【０００８】
草刈り刃の切れ刃は使用により摩耗していく。摩耗した草刈り刃では、草が刈り残される。草刈り刃は、摩耗すると新しい草刈り刃に取り替えられる。寿命が短い草刈り刃は多数使用されることとなる。
【０００９】
本考案の目的は、草刈りしつつ草を細かく切断する草刈り刃の提供にある。
【課題を解決するための手段】
【００１０】
本考案に係る草刈り刃は、板形状である。この草刈り刃は、回転軸に固定する固定部を備えた中央部と、この中央部の一方の先端側に延びる前接続部及び後接続部と、前接続部の先端側に延びる前先端部と、後接続部の先端側に延びる後先端部とを備えている。前接続部は回転方向前側に位置しており、後接続部は回転方向後側に位置している。中央部と前接続部との間は下方に折り曲げられており、この前接続部と前先端部との間は前先端部が中央部と平行になる向きに折り曲げられている。中央部と後接続部との間は上方に折り曲げられており、この後接続部と後先端部との間は後先端部が中央部と平行になる向きに折り曲げられている。前先端部と後先端部とは中央部から鉛直方向に略等しい間隔でそれぞれ離されて配置させられている。前先端部及び後先端部は、その側面の両側に、長手方向に延びる切れ刃を備えている。
【００１１】
この草刈り刃の先端部の切れ刃は、上面と底面を備えている。この上面と底面の交線が刃先を形成している。好ましくは、この上面と底面とが両側の刃先を通る平面に対し対称に傾斜した面である。好ましくは、この草刈り刃は、前先端部の回転方向前側の切れ刃の刃先を通る直線と後先端部の回転方向前側の切れ刃の刃先を通る直線との交点が、回転中心よりも離れて位置させられている。
【考案の効果】
【００１２】
この草刈り刃では、前先端部の切れ刃で草が刈り取られる。刈り取られた草は後先端部の切れ刃で細かく切断される。この草刈り刃は刈り取られた草を細かく切断する。細かく切断された草は集める作業の労力が軽減される。細かく切断された草は腐葉土となる時間が短い。この草刈り刃は、例えば１ヶ月に一回の草刈り作業が１．５ヶ月に一回になり、従来より草刈りの頻度が低い。この草刈り刃は、裏表の両側で使用できる。この草刈り刃は、裏表の両側で良好に草刈りが可能である。この草刈り刃は刈り取られた草を良好に細かく切断できる。
【考案を実施するための最良の形態】
【００１３】
以下、適宜図面が参照されつつ、好ましい実施形態に基づいて本考案が詳細に説明される。
【００１４】
図１は、本考案に係る一実施形態の草刈り刃が使用された草刈り機２の側面図である。この草刈り機２は、歩行式草刈り機である。この草刈り機２はカッター基台４を備えている。図２（ａ）は、図１の草刈り機２のカッター基台４のＡ矢視図である。図２（ｂ）は、図１の草刈り機２のカッター基台４の側面図である。説明の便宜上、鉛直方向では地面に近づく向きが下向きである。図２（ａ）の左右方向がＹ軸方向であり、上下方向がＸ軸方向である。この草刈り機２はＹ軸方向左向きを進行方向としている。草刈り刃の回転向きは、平面視（Ａ矢視と逆向き）にて反時計回りの向き、時計回りの向きとして説明がされる。
【００１５】
このカッター基台４は、カバー６、第一刃物台８、第二刃物台１０、第一回転軸１２、第二回転軸１４、第一草刈り刃１６及び第二草刈り刃１８を備えている。
【００１６】
図３（ａ）は、図１の草刈り機２に使用されている第一草刈り刃１６の平面図である。図３（ｂ）は、第一草刈り刃１６の側面図である。この第一草刈り刃１６は図３（ａ）の平面視において、点Ｐを中心にして反時計回りの向き（矢印Ｗの向き）に回転させられる。この第一草刈り刃１６は反時計回りの向き用の草刈り刃である。
【００１７】
第一草刈り刃１６は、細長板状であって、板状の両側先端が二つに分かれた形状である。この草刈り刃１６は、中央部２０、四つの接続部２２、２４、２６、２８及び四つの先端部３０、３２、３４、３６を備えている。中央部両端の一方には接続部２２、２６が延びている。この接続部２２の先には先端部３０が延びている。接続部２６の先には先端部３４が延びている。中央部両端の他方には接続部２４、２８が延びている。この接続部２４の先には先端部３２が形成されている。接続部２８の先には先端部３６が延びている。
【００１８】
接続部２２は、接続部２６に対して草刈り刃１６の回転向き前側に位置している。中央部２０と接続部２２との間は接続部２２が下向きに折り曲げられている。接続部２２と先端部３０との間は先端部３０が中央部２０と平行になる向きに折り曲げられている。先端部３０は中央部２０より下側に位置している。中央部２０と先端部３０とは略平行に配置させられている。接続部２４及び先端部３２は、接続部２２及び先端部３０と同じ形状とされている。
【００１９】
接続部２６は、接続部２２に対して回転向き後側に位置している。中央部２０と接続部２６との間は接続部２６が上向きに折り曲げられている。接続部２６と先端部３４との間は先端部３４が中央部２０と平行になる向きに折り曲げられている。先端部３４は中央部２０より上側に位置している。中央部２０と先端部３４とは略平行に配置させられている。接続部２８及び先端部３６は、接続部２６及び先端部３４と同じ形状とされている。先端部３０、３２は、中央部２０に対して鉛直方向に下方に、略平行に配置させられている。先端部３４、３６は、中央部２０に対して鉛直方向に上方に、略平行に配置させられている。先端部３０、３２と先端部３４、３６とは、鉛直方向に中央部２０を間に位置させて、中央部２０から略同じ間隔で離されて配置されている。
【００２０】
中央部２０の中心には軸孔３８が形成されている。軸孔３８の周辺に回止固定孔４０が形成されている。
【００２１】
直線Ｌ１は先端部３０の長手方向の中心線である。この直線Ｌ１に平行な一方の側面に切れ刃４２が形成されている。この直線Ｌ１に平行な他方の側面に切れ刃４４が形成されている。先端部３０の側面に、長手方向に延びる切れ刃４２、４４が形成されている。
【００２２】
直線Ｌ２は先端部３４の長手方向の中心線である。この直線Ｌ２に平行な一方の側面に切れ刃５４が形成されている。この直線Ｌ１に平行な他方の側面に切れ刃５６が形成されている。点Ｑは、直線Ｌ１と直線Ｌ２との交点である。この実施形態では、点Ｑは、先端部３０と先端部３４とに対して点Ｐと同じ側に位置している。点Ｑは、先端部３０と先端部３４とに対して点Ｐより離れて位置している。角度θ１は直線Ｌ１と直線Ｌ２とのなす角度である。
【００２３】
図４は、図３の第一草刈り刃１６の先端部３０の断面図である。この断面は、先端部３０の直線Ｌ１に垂直な断面である。傾斜面６２が切れ刃４２の上面である。傾斜面６４が切れ刃４２の底面である。この傾斜面６２と傾斜面６４との交線が切れ刃４２の刃先である。この切れ刃４２は両面が傾斜面６２、６４で形成された両面刃である。切れ刃４４は、切れ刃４２と同じ形状である。切れ刃４４は、傾斜面６２と傾斜面６４とで形成されている。直線Ｌ３は、切れ刃４２の刃先と切れ刃４４の刃先とを通る平面がこの断面と交わる交線である。
【００２４】
角度θ２は、この直線Ｌ３と傾斜面６２とのなす角度である。直線Ｌ３と傾斜面６４とのなす角度も角度θ２であり、直線Ｌ３と傾斜面６２とのなす角度に等しい。傾斜面６２と傾斜面６４とは両側の刃先を通る平面に対し対称に傾斜した面である。
【００２５】
図５は、図３の第一草刈り刃１６の部分拡大図である。直線Ｌ４は、切れ刃４２の刃先を通る直線である。直線Ｌ５は、切れ刃５４の刃先を通る直線である。角度θ４は、直線Ｌ４と直線Ｌ５とがなす角度である。点Ｒは、直線Ｌ４と直線Ｌ５との交点である。この実施形態では、点Ｒは、切れ刃４２と切れ刃５４とに対して回転中心である点Ｐと同じ側に位置している。点Ｒは、切れ刃４２と切れ刃５４とに対して点Ｐより離れて位置している。この実施形態では角度θ４は角度θ１に等しい。
【００２６】
先端部３０には、切欠であるＶ字溝４６が形成されている。Ｖ字溝４６は切れ刃４２と切れ刃４４との中間に位置している。Ｖ字溝４６の底には円弧溝４８が形成されている。切れ刃４２の刃先からＶ字溝４６までの幅が背後幅である。先端側の背後幅Ｗ１が狭く、根元側の背後幅Ｗ２が広くされた形状である。角度θ３は、直線Ｌ１とＶ字溝４６のテーパ形状の傾斜とのなす角度である。角度θ３は図３（ａ）の直線Ｌ１上右向きが０°であり、左向きが１８０°である。この切れ刃４２の背後の形状は先端側から根元側に向かって幅が広くなるテーパ形状である。この実施形態では、角度θ３は４５°である。この実施形態では、背後幅Ｗ１は８ｍｍとしている。
【００２７】
先端部３０の他方の切れ刃４４はその刃先が切れ刃４２と回転方向逆向きに配置されている。切れ刃４４の他の構成は切れ刃４２と同じでありその説明は省略される。先端部３２、３４、３６は、先端部３０と同じ形状である。先端部３２は、切れ刃５０、５２を備えている。先端部３４は、切れ刃５４、５６を備えている。先端部３６は、切れ刃５８、６０を備えている。切れ刃５０、５２、５４、５６、５８、６０は、切れ刃４２、４４と同じ形状であり、その説明は省略される。
【００２８】
第二草刈り刃１８の回転向きは、時計回り向きである。第二草刈り刃１８は、時計回りの向き用の草刈り刃である。第二草刈り刃１８は、第一草刈り刃１６と回転向きが逆向きである。第二草刈り刃１８では、中央部の両端の一方に延びる二つの接続部のうち、時計回り向きに前側に位置する接続部が下向きに傾斜している。時計回り向きに前側に位置する先端部が鉛直方向で中央部より下方に位置している。時計回り向きに後側に位置する接続部が上向きに傾斜している。時計回り向きに後側に位置する先端部が鉛直方向で中央部より上方に位置している。第二草刈り刃１８の他の構成は、第一草刈り刃１６と同じであり、その説明は省略される。
【００２９】
第一回転軸１２及び第二回転軸１４は図示しないエンジンの駆動軸に図示しない駆動ベルトで接続されている。第一草刈り刃１６の軸孔３８に第一回転軸１２が通される。回止固定孔４０により第一草刈り刃１６は第一回転軸１２に固定されている。この回止固定孔４０が回転軸への固定部である。同様に、第二草刈り刃１８は、第二回転軸１４に固定されている。
【００３０】
第一回転軸１２に固定された第一草刈り刃１６が平面視（Ａ矢視と逆向き）で反時計回りの向きに回転させられる。第二回転軸１４に固定された第二草刈り刃１８が平面視（Ａ矢視と逆向き）で時計回りの向きに回転させられる。第一草刈り刃１６と第二草刈り刃１８とは互いに逆向きに回転させられる。第一草刈り刃１６と第二草刈り刃１８との回転数は同じである。第一草刈り刃１６と第二草刈り刃１８との回転領域は一部が重なっている。第一草刈り刃１６と第二草刈り刃１８とは互いに一方の長尺方向がＹ軸方向であるとき、他方の長尺方向がＸ軸方向となっている。このように位相がずれているので、回転領域が重複していても、この二つのカッター１６と１８とは干渉しない。
【００３１】
図２（ａ）に示された第一草刈り刃１６では、接続部２２、２４が前接続部であり、接続部２６、２８が後接続部である。同様に先端部３０、３２が前先端部であり、先端部３４、３６が後先端部である。この第一草刈り刃１６は、切れ刃４２、５４が草を刈り取る。下側に位置する切れ刃４２が草を刈りとる。刈り取られた草は切れ刃４２の傾斜面６２に沿って飛ばされる。この刈り取られ飛ばされた草は上側に位置する切れ刃５４により細かく切断される。細かく切断された草は切れ刃５４の傾斜面６２に沿って飛ばされる。
【００３２】
この切れ刃４２は回転方向前方に位置し、切れ刃５４は回転方向後方に位置している。切れ刃４２と切れ刃５４とは前後して草を刈り取る。切れ刃４２、５４が前後して草を刈るので草が細かく切断される。同様に切れ刃５０と切れ刃２８とは前後して草を刈り取る。切れ刃５０、５８が前後して草を刈るので草が細かく切断される。この草刈り刃１６は、二つの切れ刃が上下で同時に草を刈る草刈り刃に比べて、回転軸に加わる負荷が小さい。この草刈り刃１６は、回転軸の損傷が抑制される。この観点により角度θ４は３°以上が好ましく、５°以上がより好ましい。
【００３３】
角度θ４が大きくなると切れ刃４２と切れ刃５４との間の間隔が広がる。切れ刃４２で刈り取られた草が切れ刃５４により切断されるまでの間隔が長くなる。この間隔が長いと刈り取られた草が遠心力で外側に飛ばされる。刈り取られた草が、切れ刃５４で上手く切断されないことがある。この観点から角度θ４は４５°以下が好ましく、３０°以下がより好ましい。
【００３４】
前先端部３０の回転方向前側の切れ刃４２の刃先を通る直線と後先端部３４の回転方向前側の切れ刃５４の刃先を通る直線との交点Ｒは回転中心である点Ｐと同じ位置であってもよい。好ましくは交点Ｒが、先端部３０と先端部３４とに対して点Ｐと同じ側に、点Ｐより離れて位置している。点Ｒを点Ｐより離して位置させることにより、切れ刃４２と切れ刃５４との先端側での刃先の間隔と根元側での刃先の間隔の差が小さくなっている。先端側で刈り取られる草と根元側で刈り取られる草とが同じように刈り取られ細かく切断される。なお、切れ刃４２の刃先を通る直線と切れ刃５４の刃先を通る直線が平行であり、交点Ｒが無限に遠くに離れて位置するものも含まれる。
【００３５】
第一草刈り刃１６の先端部３０は、切れ刃４２の先端のコーナから摩耗していく。更に摩耗が進むと摩耗がＶ字溝４６に至る。このＶ字溝４６が摩耗により削られていく。テーパ形状に達した摩耗が進むと先端がテーパ形状の底に向かって後退していく。この後退によりコーナの先端曲率半径Ｒが大きくなることが抑制される。このコーナの先端曲率半径Ｒが大きくならないことにより、従来のカッターよりも摩耗が進んだ状態でも草が滑らず刈り取られている。この第一カッタ１６は従来のカッターより寿命が長くなっている。
【００３６】
第一草刈り刃１６は第二回転軸１４では使用できない。第一草刈り刃１６は、第二回転軸１４に取り付けると回転方向前方の先端部が上方に位置して、後方の先端部が下方に位置することになる。この第一草刈り刃１６は傾斜面６２、６４からなる両面刃を備えている。この両面刃により、第一回転軸１２から取り外した第一草刈り刃１６は裏表を逆向きにして再び第一回転軸に取り付けて使用することができる。取り付けられた草刈り刃の切れ刃５６、４４、６０、５２により草が刈り取られる。刈り取られた草は傾斜面６４に沿って飛ばされる。この草刈り刃１６は裏表で使用できる。この草刈り刃１６は寿命が長い。
【００３７】
ここでは、反時計回り向きに回転させられる第一草刈り刃１６が説明された。第二草刈り刃１８では、時計回りの向きに前側の先端部が後側の先端部より地面に近く配置される。第二回転軸１４に取り付けられた第二草刈り刃１８が時計回りに回転させられる。その他の構成はこの草刈り刃１６と同じである。第二回転軸１４に取り付けられた第二草刈り刃１８は切れ刃が摩耗すると一旦外されて、裏表を逆にして同じ第二回転軸１４に取り付けられて使用される。
【００３８】
この実施形態では、二軸の回転軸を備えた草刈り機２について説明したが、一軸の回転軸を備えた草刈り機でも三軸以上の回転軸を備えた草刈り機でも、この草刈り刃は同様の効果を発揮する。
【産業上の利用可能性】
【００３９】
本考案は、平地、田の畦、道路の路肩などの草刈り機の草刈り刃に適用されうる。
【図面の簡単な説明】
【００４０】
【図１】図１は、本考案に係る一実施形態の草刈り刃が使用された草刈り機の側面図である。
【図２】図２（ａ）は図１の草刈り機のカッター基台のＡ矢視図であり、図２（ｂ）は図１の草刈り機のカッター基台の側面図である。
【図３】図３（ａ）は図１の草刈り機に使用されている第一草刈り刃の平面図であり、図３（ｂ）は第一草刈り刃の側面図である。
【図４】図４は、図３の第一草刈り刃の先端部の断面図である。
【図５】図５は、図３の第一草刈り刃１６の部分拡大図である。
【図６】図６（ａ）は従来の草刈り刃１０２の平面図であり、図６（ｂ）は図６（ａ）の草刈り刃１０２の側面図である。
【図７】図７は、図６（ａ）に示された草刈り刃の先端部の断面図である。
【符号の説明】
【００４１】
２・・・草刈り機
４・・・カッター基台
６・・・カバー
８・・・第一刃物台
１０・・・第二刃物台
１２・・・第一回転軸
１４・・・第二回転軸
１６・・・第一草刈り刃
１８・・・第二草刈り刃
２０・・・中央部
２２・・・接続部
２４・・・接続部
２６・・・接続部
２８・・・接続部
３０・・・先端部
３２・・・先端部
３４・・・先端部
３６・・・先端部
３８・・・軸孔
４０・・・回止固定孔
４２・・・切れ刃
４４・・・切れ刃
４６・・・Ｖ字溝
４８・・・円弧溝
５０・・・切れ刃
５２・・・切れ刃
５４・・・切れ刃
５６・・・切れ刃
５８・・・切れ刃
６０・・・切れ刃
６２・・・傾斜面
６４・・・傾斜面
１０２・・・草刈り刃
１０４・・・中央部
１０６・・・接続部
１０８・・・先端部
１１０・・・切れ刃
１１２・・・切れ刃
１１４・・・切れ刃
１１６・・・切れ刃
【図１】
0003135563.tif 000003
【図２】
0003135563.tif 000004
【図３】
0003135563.tif 000005
【図４】
0003135563.tif 000006
【図５】
0003135563.tif 000007
【図６】
0003135563.tif 000008
【図７】
0003135563.tif 000009